(57)【特許請求の範囲】
【請求項１】
浴槽内側から浴槽の取付孔に取付けられるものであって、表側に通水口を開設した通水口部材と、該通水口部材の表側で水密状態に係止できるように通水口部材の裏側へ貫通する止付け用ボルトと、該通水口部材の裏側にて止付け用ボルトに螺合した状態で前記浴槽の取付孔を潜り抜けることが可能な寸法に形成され且つその両側に形成される係止部の間隔が浴槽の取付孔より大径となる挟持部材とを備えた浴槽用通水装置であって、前記挟持部材は、途中で折れ曲がるように形成され、両側の係止部が接近する折り畳み状態から両側の係止部の間隔が浴槽の取付孔より大径となる延ばし状態まで変形でき、前記止付け用ボルトを緊締することにより、前記浴槽の側壁部を内外両側から前記通水口部材と延ばし状態の前記挟持部材とで挟持し、浴槽の取付孔の周縁部に挟持部材の両側の係止部を押圧させて固定することができることを特徴とする浴槽用通水装置。
【請求項２】
浴槽内側から浴槽の取付孔に取付けられるものであって、表側に通水口を開設した通水口部材と、該通水口部材の表側で水密状態に係止できるように通水口部材の裏側へ貫通する止付け用ボルトと、該通水口部材の裏側にて止付け用ボルトに螺合した状態で前記浴槽の取付孔を潜り抜けることが可能な寸法に形成され且つその両側に形成される係止部の間隔が浴槽の取付孔より大径となる挟持部材とを備えた浴槽用通水装置であって、前記挟持部材は、バネ素材で形成された変形容易部分が設けられ、前記ボルトの緊締に伴い変形容易部分が浴槽の外側面の凹凸に応じて弾性変形することで両方の係止部で浴槽の外側面を押圧するようにしたことを特徴とする浴槽用通水装置。
【請求項３】
前記挟持部材は、両側の係止部の押圧部がバネ素材で形成された変形容易部分となされ、押圧時の弾性変形を両側の押圧部で得ることができるようにした請求項１又は２記載の浴槽用通水装置。
【発明の詳細な説明】
【０００１】
【発明の属する技術分野】
この発明は、浴水を吐出又は吸引するための通水口を形成する浴槽用通水装置の改良に関する。
【０００２】
【従来の技術】
従来、浴槽用通水装置としては、本願出願人の特許出願（特願平１１−１２１２９７号）に係る未公知のものがある。この未公知の浴槽用通水装置１は、図７乃至図９に示すように、浴槽２の取付孔２ａ（例えば、直径が５０ｍｍ程度の孔）に浴槽内側Ａから取り付け施工できるものであり、表側に通水口（図示略）を開設した通水口部材４と、通水口部材４の表側で水密状態に係止できるように通水口部材４の裏側へ貫通する止付け用ボルト５と、通水口部材４の裏側にて止付け用ボルト５に螺合した状態で浴槽取付孔２ａを潜り抜けることが可能な寸法に形成され且つその両側に形成される係止部６ａ，６ａの間隔が浴槽取付孔２ａより大径となる挟持部材６とを備えている。
【０００３】
【発明が解決しようとする課題】
上記挟持部材６は、通水口部材４に止め付け用ボルト５で連結された状態で浴槽内側Ａから浴槽取付孔２ａを潜り抜け（図９参照）、浴槽外側Ｂで取付孔２ａの周縁に両側の係止部６ａ，６ａを係止する（図７及び図８参照）ようになっている。
しかし、上記挟持部材６は、係止部６ａ，６ａの間隔が浴槽取付孔２ａより大径に形成されているため、浴槽取付孔２ａを潜り抜けさせるのに、傾斜状態で潜り抜けされる工夫と熟練を必要とする問題がある。更に、上記挟持部材６は、曲げ剛性が大きく且つ係止部６ａ，６ａの押圧面が平坦に形成されているため、浴槽２の外側面２ｂが凹凸面に仕上げられているときには、凹凸面による段差のある外側面２ａを両方の係止部６ａ，６ａで確実に押圧できない場合があり、不完全な取付け状態となる問題を招くことが有り得る。
【０００４】
そこで、本発明は、上記問題を解決するために、挟持部材が浴槽取付孔を簡単に潜り抜けることができる浴槽用通水装置、並びに浴槽の凹凸のある外側面を挟持部材で確実に押圧できる浴槽用通水装置の提供を目的とする。
【０００５】
【課題を解決するための手段】
挟持部材が浴槽取付孔を簡単に潜り抜けることができるようにするために請求項１記載の本発明が採用した手段は、浴槽内側から浴槽の取付孔に取付けられるものであって、表側に通水口を開設した通水口部材と、該通水口部材の表側で水密状態に係止できるように通水口部材の裏側へ貫通する止付け用ボルトと、該通水口部材の裏側にて止付け用ボルトに螺合した状態で前記浴槽の取付孔を潜り抜けることが可能な寸法に形成され且つその両側に形成される係止部の間隔が浴槽の取付孔より大径となる挟持部材とを備えた浴槽用通水装置であって、前記挟持部材は、途中で折れ曲がるように形成され、両側の係止部が接近する折り畳み状態から両側の係止部の間隔が浴槽の取付孔より大径となる延ばし状態まで変形でき、前記止付け用ボルトを緊締することにより、前記浴槽の側壁部を内外両側から前記通水口部材と延ばし状態の前記挟持部材とで挟持し、浴槽の取付孔の周縁部に挟持部材の両側の係止部を押圧させて固定することができることを特徴とする浴槽用通水装置である。
本発明にあっては、挟持部材を折り畳んで両側の係止部を接近させるコンパクトな状態にすることにより、浴槽取付孔を簡単に潜り抜けさせることが可能となり、浴槽取付孔を潜り抜けた挟持部材を延ばすことにより、両側の係止部の間隔が浴槽の取付孔より大径となる状態となり、取付孔の周縁に挟持部材の両側の係止部を押圧させることが可能となる。
【０００６】
浴槽の凹凸のある外側面を挟持部材で確実に押圧できるようにするために請求項２記載の本発明が採用した手段は、浴槽内側から浴槽の取付孔に取付けられるものであって、表側に通水口を開設した通水口部材と、該通水口部材の表側で水密状態に係止できるように通水口部材の裏側へ貫通する止付け用ボルトと、該通水口部材の裏側にて止付け用ボルトに螺合した状態で前記浴槽の取付孔を潜り抜けることが可能な寸法に形成され且つその両側に形成される係止部の間隔が浴槽の取付孔より大径となる挟持部材とを備えた浴槽用通水装置であって、前記挟持部材は、バネ素材で形成された変形容易部分が設けられ、前記ボルトの緊締に伴い変形容易部分が浴槽の外側面の凹凸に応じて弾性変形することで両方の係止部で浴槽の外側面を押圧するようにしたことを特徴とする浴槽用通水装置である。本発明にあっては、浴槽の凹凸のある外側面を挟持部材の両側の係止部で押圧させるときに、挟持部材の変形容易部分が浴槽の外側面の凹凸に応じて弾性変形するため、両側の係止部で確実に押圧させることができる。
【０００７】
挟持部材の要部の曲げ剛性を維持しつつ、浴槽の凹凸のある外側面を挟持部材で確実に押圧できるようにするために請求項３記載の本発明が採用した手段は、前記挟持部材は、両側の係止部の押圧部がバネ素材で形成された変形容易部分となされ、押圧時の弾性変形を両側の押圧部で得ることができるようにした請求項１又は２記載の浴槽用通水装置である。
本発明にあっては、挟持部材における両側の係止部の押圧部を弾性変形させるようにすることにより、押圧部以外の部分の曲げ剛性を大きくする（即ち、変形し難くする）ことができるため、浴槽の凹凸のある外側面を挟持部材で押圧させるときに、係止部の押圧部を積極的に弾性変形させて確実に押圧させることができる。
【０００８】
【発明の実施の形態】
（第１の実施の形態）
図１乃至図４は、本発明に係る浴槽用通水装置の第１の実施の形態を示すものであり、図１は浴槽に浴槽用通水装置を取付け固定した状態を部分省略して示す側面図、図２は同状態を浴槽内側から見た正面図、図３は同状態を浴槽外側から見た背面図、図４は浴槽へ取付け固定する途中の状態を部分省略して示す側面図である。
【０００９】
本実施形態の浴槽用通水装置１１は、浴槽２の側壁部２ｃに穿設した取付孔２ａに浴槽内側Ａから取付け施工できるものであり、浴槽内側Ａに配置される通水口部材４と、通水口部材４の裏側と浴槽２との間に配置されるシール部材１２（図４参照）と、浴槽外側Ｂに配置される挟持部材１６と、通水口部材４及び挟持部材１６を連結して挟持部材１６を止め付けるための止付け用ボルト５と、通水口部材４の背面側から浴槽外側Ｂへ突設する配管用接続部１３，１４とを備え、ボルト５を緊締するための操作が浴槽内側Ａからできるようになっている。
【００１０】
上記通水口部材４は、浴槽内側Ａに開口する吐水口４ａ及び吸引口４ｂが設けられ、吐水口４ａと配管用接続部１３とを連通させると共に吸引口４ｂと配管用接続部１４とを連通させてある。この通水口部材４は、その裏側に、浴槽取付孔２ａに嵌入できる突起部１８が設けられ、取付け固定後に外力を受けても位置ズレさせないようにしてある。
【００１１】
上記挟持部材１６は、両側の広幅の係止部１６ａ，１６ａと、それらの間の幅細の折曲げ自在な中間部１６ｂとを備え、両側の係止部１６ａ，１６ａが接近する折り畳み状態（図４参照）から両側の係止部１６ａ，１６ａの間隔が浴槽取付孔２ａより大径となる延ばし状態（図１参照）まで変形できるように形成されている。中間部１６ｂは、上半部１６ｂ−１と下半部１６ｂ−２とを折曲げ自在にピン連結１６ｂ−３し、上半部１６ｂ−１と下半部１６ｂ−２との間に係止部１６ｂ−４，１６ｂ−５を設け、折り畳み状態から延ばし状態にしたときに係止部１６ｂ−４，１６ｂ−５を係止させることで延ばし状態を維持するようにしてある。挟持部材１６は、ピン連結部１６ｂ−３等に、折り畳み状態から延ばし状態に復元するためのバネ（図示略）を設けることもある。狭持部材１６には、雌ネジ孔１６ｃが形成されており、そこに止付け用ボルト５が螺合されている。
【００１２】
この狭持部材１６は、図４に示す折り畳み状態にすることで浴槽取付孔２ａを容易に潜り抜けることができ、潜り抜けた後の下半部１６ｂ−２がその自重で自動的に揺動して延ばし状態又はこの状態に近い状態となる。なお、浴槽取付孔２ａを潜り抜けて浴槽外側Ｂへ移動した挟持部材１６を、逆に浴槽内側Ａへ戻す場合には、延びた状態の下半部１６ｂ−２を浴槽内側Ａから操作棒等で操作して強制的に折曲げ状態にするか、浴槽用通水装置１１を１８０°回転させて、上半部１６ｂ−１と下半部１６ｂ−２とを上下反転させることにより、下半部１６ｂ−２をその自重で揺動させて折り畳み状態にする。
【００１３】
前記通水口部材４は、浴槽内側Ａからボルト５をネジ込むことで浴槽の側壁部２ｃに取付け固定されている。具体的には、浴槽内側Ａから止付け用ボルト５を狭持部材１６の雌ネジ孔１６ｃに螺合した状態でこれを強くネジ込むことによって、延ばし状態の狭持部材１６とともに側壁部２ｃを内外両側からシール部材１２を介し挟み付ける状態に通水口部材４が側壁部２ｃに取付け固定される。前記止付け用ボルト５は、シールリング１７を予め外嵌してあり、頭部５ａと通水口部材４の凹陥部４ｃとの間にシール部を形成できるようにしてある。
【００１４】
本実施形態の浴槽用通水装置を施工するための施工方法の手順は、次の如く行われる。先ず、図４に示すように、浴槽２の側壁部２ｃの所定位置に取付孔２ａをホルソー等で開設する。既に取付孔２ａが有るときには、省略する。次に、挟持部材１６をボルト５の先端寄りへ移動させた後に、浴槽内側Ａから取付孔２ａへ配管用接続部１３，１４を挿通して浴槽外側Ｂへ導くと共に、折り畳み状態にした挟持部材１６を浴槽の取付孔２ａへ挿通させる。
【００１５】
最後に、浴槽内側Ａで止付け用ボルト５を強制的にねじ回すことにより、延ばし状態の挟持部材１６を浴槽側に引き寄せて、浴槽２の外側面２ｂに挟持部材１６の両端の係止部１６ａ，１６ａを、図１に示すように圧接させる。このとき、通水口部材４を浴槽内側Ａへ引き寄せて、浴槽２の外側面２ｂに挟持部材１６の係止部１６ａ，１６ａを予め当接させ、この状態でボルト５を強制的にねじ回すことも可能である。そして更に、ボルト５を緊締することにより、浴槽取付孔２ａの周縁部を通水口部材４と挟持部材１６とで挟持して固定する。このとき、浴槽取付孔２ａの周縁部と通水口部材４との間には挟着されたシール部材１２でシール部が形成されると共に、ボルト５の頭部５ａと通水口部材４の凹陥部４ｃとの間に挟圧されたシールリング１７でシール部が形成されることにより、浴槽２の取付孔２ａからの漏水を防止できるようになる。このように、本実施形態の浴槽用通水装置の施工は、一人の作業者が浴槽内側Ａから容易に施工を行うことができ、施工時間を短縮できるものである。
【００１６】
取付け固定された本実施形態の浴槽用通水装置１１は、浴槽内の浴水が吸引口４ｂ及び配管用接続部１４を通じて取り出され、追いだき装置（図示略）で外部循環させられる。外部循環して戻った浴水は、配管用接続部１３で導かれて吐出口４ａから浴槽内部へ吐出される。
【００１７】
（第２の実施の形態）
図５及び図６は、本発明に係る浴槽用通水装置の第２の実施の形態を示すものであり、図５は浴槽に浴槽用通水装置を取付け固定した状態を部分省略して示す側面図、図６は浴槽へ取付け固定する途中の状態を部分省略して示す側面図である。
【００１８】
本実施形態の浴槽用通水装置２１は、挟持部材２６以外の構造が、前記第１の実施の形態と実質的に同一である。すなわち、浴槽用通水装置２１は、浴槽２の取付孔２ａに浴槽内側Ａから取付け施工できるものであり、浴槽内側Ａに配置される通水口部材４と、通水口部材４の裏側と浴槽２との間に配置されるシール部材１２と、浴槽外側Ｂに配置される挟持部材２６と、通水口部材４及び挟持部材２６を連結して挟持部材２６を止め付けるための止付け用ボルト５と、通水口部材４の背面側から浴槽外側Ｂへ突設した配管用接続部１３，１４とを備え、ボルト５を緊締するための操作が浴槽内側Ａからできるようになっている。
【００１９】
上記挟持部材２６は、両側の広幅の係止部２６ａ，２６ａと、それらの間の幅細の中間部２６ｂとを備え、中間部２６ｂに雌ネジ孔２６ｃが形成されており、そこに止付け用ボルト５が螺合されている。挟持部材２６は、止付け用ボルト５に螺合した状態で浴槽取付孔２ａを潜り抜けることが可能な寸法に形成され且つ両側の係止部２６ａ，２６ａの間隔が浴槽の取付孔より大径となるように形成されている。挟持部材２６は、両側の係止部２６ａ，２６ａの各押圧部２６ａ−１が、バネ板をＵ字状に折り曲げ等して形成され、押圧時の弾性変形を両側の押圧部２６ａ−１，２６ａ−１で得ることができる変形容易部分としてある。挟持部材２６は、両側の押圧部２６ａ−１，２６ａ−１を弾性変形できるようにすることで、押圧部２６ａ−１，２６ａ−１以外の部分の曲げ剛性を大きくする（即ち、変形し難くする）ことが可能となり、凹凸のある浴槽外側面２ｂを押圧させるときに、押圧部２６ａ−１，２６ａ−１を積極的に弾性変形させて確実に押圧させることができる。
【００２０】
挟持部材２６は、バネ素材で形成する箇所を各係止部２６ａの押圧部２６ａ−１に限定するものではなく、全体をバネ素材で形成し、幅細い中間部２６ｂを変形容易部分とし、他の部分を曲げ剛性の大きな形状とすることも可能である。
【００２１】
本実施形態の浴槽用通水装置を施工するための施工方法の手順は、次の如く行われる。先ず、浴槽２の側壁部２ｃの所定位置に取付孔２ａをホルソー等で開設する。既に取付孔２ａが有るときには、省略する。次に、図６に示すように挟持部材２６をボルト５の先端寄りへ移動させた後に、浴槽内側Ａから取付孔２ａへ配管用接続部１３，１４を挿通して浴槽外側Ｂへ導くと共に、浴槽の取付孔２ａへ挟持部材２６を潜り抜かせる。
【００２２】
最後に、浴槽内側Ａで止付け用ボルト５を強制的にねじ回すことにより挟持部材２６を浴槽側に引き寄せて、浴槽２の外側面２ｂに挟持部材２６の両端の係止部２６ａ，２６ａを、図５に示すように圧接させる。そして更に、ボルト５を緊締することにより、浴槽の取付孔２ａの周縁部を通水口部材４と挟持部材２６とで挟持して固定する。このとき、浴槽の取付孔２ａの周縁部と通水口部材４との間には挟着されたシール部材１２でシール部が形成されると共に、ボルト５の頭部５ａと通水口部材４の凹陥部４ｃ（図２参照）との間に挟圧されたシールリング１７でシール部が形成されることにより、浴槽２の取付孔２ａからの漏水を防止できるようになる。このように、本実施形態の浴槽用通水装置の施工は、一人の作業者が浴槽内側Ａから容易に施工を行うことができ、施工時間を短縮できるものである。
【００２３】
取付け固定された本実施形態の浴槽用通水装置２１は、浴槽内の浴水が吸引口４ｂ及び配管用接続部１４を通じて取り出され、追いだき装置（図示略）で外部循環させられる。外部循環して戻った浴水は、配管用接続部１３で導かれた吐出口４ａから浴槽内部に吐出される。
【００２４】
（その他の実施の形態）
図１に示す浴槽用通水装置１１は、挟持部材１６の両側の係止部１６ａ，１６ａに、図５に示すバネ素材で形成した押圧部２６ａ−１に相当するものを設け、押圧時の弾性変形を両側の押圧部で得ることができるようにすることも可能である。
【００２５】
本発明に係る浴槽用通水装置は、浴水の吸引口のみを有する或いは吐出口のみを有する浴槽用通水装置に適用することも可能であるし、或いはまた浴槽の追だき以外の目的、例えばジエット噴射浴槽における浴水の吸引口装置或いは噴射口装置（吐出口装置）に対して適用することも可能であるなど、その主旨を逸脱しない範囲において種々の変更を加えた形態で構成可能である。
【００２６】
【発明の効果】
請求項１記載の本発明は、挟持部材を折り畳んでコンパクトな状態にして浴槽取付孔を簡単に潜り抜けさせることができると共に、潜り抜けた挟持部材を延ばして取付孔の周縁を両側の係止部で押圧させることができるため、施工性の向上が図れる。
請求項２記載の本発明は、浴槽の凹凸のある外側面を挟持部材の両側の係止部で押圧させるときに、変形容易部分が弾性変形するため、浴槽の凹凸のある外側面を両側の係止部で確実に押圧させることができ、信頼できる取付け状態を得ることができる。
請求項３記載の本発明は、押圧部以外の部分の曲げ剛性を大きく維持しつつ、係止部の押圧部を弾性変形させることにより、浴槽の凹凸のある外側面を押圧部で確実に押圧できるため、信頼できる取付け状態を得ることができる。
【図面の簡単な説明】
【図１】本発明に係る浴槽用通水装置の第１の実施の形態を示すものであり、浴槽に浴槽用通水装置を取付け固定した状態を部分省略して示す側面図である。
【図２】同実施の形態における同状態を浴槽内側から見た正面図である。
【図３】同実施の形態における同状態を浴槽外側から見た背面図である。
【図４】同実施の形態において浴槽へ取付け固定する途中の状態を部分省略して示す側面図である。
【図５】本発明に係る浴槽用通水装置の第２の実施の形態を示すものであり、浴槽に浴槽用通水装置を取付け固定した状態を部分省略して示す側面図である。
【図６】同実施の形態において浴槽へ取付け固定する途中の状態を部分省略して示す側面図である。
【図７】従来の浴槽用通水装置を示すものであり、浴槽に浴槽用通水装置を取付け固定した状態を部分省略して示す側面図である。
【図８】従来の浴槽用通水装置の固定した状態を浴槽外側から見た背面図である。
【図９】従来の浴槽用通水装置を浴槽へ取付け固定する途中の状態を部分省略して示す側面図である。
【符号の説明】
Ａ…浴槽内側、Ｂ…浴槽外側、２…浴槽、２ａ…取付孔、４…通水口部材、４ａ，４ｂ…通水口、５…止付け用ボルト、１６（２６）…挟持部材、１６ａ（２６ａ）…係止部、２６ａ−１…変形容易部分である押圧部
【図１】
0004129710.tif 000002
【図２】
0004129710.tif 000003
【図３】
0004129710.tif 000004
【図４】
0004129710.tif 000005
【図５】
0004129710.tif 000006
【図６】
0004129710.tif 000007
【図７】
0004129710.tif 000008
【図８】
0004129710.tif 000009
【図９】
0004129710.tif 000010